(57)【特許請求の範囲】
【請求項１】
表示画面を有したパネルと、
光源と、
電子部品と、
前記パネル、前記光源及び前記電子部品を収容した筐体と、を具備した電子機器であって、
前記筐体は、前記表示画面が露出する第１開口部が設けられた第１壁と、前記パネルと向かい合う内面および前記内面の反対側に位置された外面を有する第２壁と、を含み、前記第１壁および前記第２壁は、互いに協働して前記筐体の外形を形作るように構成され、
前記第２壁は、その少なくとも一部が光透過性の材料で形成されて前記光源からの光が通過するとともに当該光が前記内面から前記パネルに向けて出るように構成された導光部と、前記導光部の周囲に設けられ、前記電子部品と向かい合う非導光部と、を有し、
前記第２壁の前記外面の少なくとも一部に、前記導光部から前記筐体の外部に向かう光の少なくとも一部を遮る遮光層が設けられ、前記遮光層の少なくとも一部に、前記導光部からの光が通る所望の形状を有する光透過部が設けられた電子機器。
【請求項２】
請求項１に記載の電子機器において、前記筐体は、前記第１壁を含むマスクと、前記第２壁を含むカバーと、を有し、前記カバーは、光透過性の材料で形成され、前記導光部と前記非導光部との間に、前記導光部からの光の少なくとも一部が反射される溝が設けられた電子機器。
【請求項３】
表示画面を有したパネルと、
光源と、
前記パネル及び前記光源が収容された筐体と、を具備した電子機器であって、
前記筐体は、前記表示画面が露出する第１開口部が設けられた第１壁と、前記パネルと向かい合う内面および前記内面の反対側に位置された外面を有する第２壁と、を含み、前記第１壁および前記第２壁は、互いに協働して前記筐体の外形を形作るように構成され、
前記第２壁の少なくとも一部は、光透過性の材料で形成されて前記光源からの光が通過するとともに当該光が前記内面から前記パネルに向けて出るように構成された導光部を有し、
前記第２壁の前記外面は、前記導光部から前記筐体の外部に向かう光を遮る遮光層を有するとともに、当該遮光層の少なくとも一部に、前記導光部からの光が通る所望の形状を有する開口部が設けられた電子機器。
【請求項４】
表示画面を有したパネルと、
光源と、
前記パネル及び前記光源が収容された筐体と、を具備した電子機器であって、
前記筐体は、前記表示画面が露出する第１開口部が設けられた第１壁を含むマスクと、前記パネルと向かい合う内面および前記内面の反対側に位置された外面を有する第２壁を含むカバーと、を備え、前記第１壁および前記第２壁は、互いに協働して前記筐体の外形を形作るように構成され、
前記カバーの前記第２壁は、その少なくとも一部が光透過性の材料で形成されて前記光源からの光が透過するとともに当該光が前記内面から前記パネルに向けて出るように構成された導光部と、前記導光部の周囲に設けられた非導光部と、前記導光部と前記非導光部との間に設けられ、前記導光部からの光の少なくとも一部が反射される溝と、を有し、
前記第２壁の前記外面の少なくとも一部に、前記導光部から前記筐体の外部に向かう光の少なくとも一部を遮る遮光層が設けられた電子機器。
【請求項５】
請求項１ないし請求項４のいずれか一項に記載の電子機器において、前記導光部の前記内面から窪む溝が前記導光部に設けられ、前記光源が前記溝に取り付けられた電子機器。
【請求項６】
請求項１ないし請求項５のいずれか一項に記載の電子機器において、前記導光部は、前記内面に対して傾いた入射面を有し、前記光源は、前記内面に対し傾斜して実装されているとともに、前記光源の中央部が前記入射面に向かい合う電子機器。
【請求項７】
請求項１ないし請求項４のいずれか一項に記載の電子機器において、屈折率が空気よりも前記導光部に近く、前記光源と前記導光部との間の隙間を埋めた部材をさらに備えた電子機器。
【請求項８】
請求項１、請求項４および請求項５のいずれか一項に記載の電子機器において、前記遮光層の少なくとも一部は、前記導光部の前記外面に密着されて、前記導光部から前記筐体の外部に向かう光が反射される反射層である電子機器。
【請求項９】
請求項１、請求項４および請求項５のいずれか一項に記載の電子機器において、前記遮光層の少なくとも一部は、前記筐体内から前記筐体の外部に向かう不要輻射を抑制する導電層である電子機器。
【請求項１０】
請求項１、請求項４および請求項５のいずれか一項に記載の電子機器において、前記パネルと前記第２壁との間に位置した光学シートをさらに備えた電子機器。
【発明の詳細な説明】
【技術分野】
【０００１】
本発明の実施形態は、電子機器に関する。
【背景技術】
【０００２】
テレビジョン受像機のような電子機器の表示装置は、表示パネルと、光源と、導光板とを有する。
【先行技術文献】
【特許文献】
【０００３】
【特許文献１】特開平１１−１１９７０２号公報
【発明の概要】
【発明が解決しようとする課題】
【０００４】
電子機器は、薄型化が要望されている。
【０００５】
本発明の目的は、薄型化を図ることができる電子機器を提供することである。
【課題を解決するための手段】
【０００６】
実施形態によれば、電子機器は、パネル、光源及び電子部品を収容した筐体を具備する。前記筐体は、前記パネルの表示画面が露出する第１開口部が設けられた第１壁と、前記パネルと向かい合う内面および前記内面の反対側に位置された外面を有する第２壁と、を含む。前記第１壁および前記第２壁は、互いに協働して前記筐体の外形を形作るように構成されている。前記第２壁は、その少なくとも一部が光透過性の材料で形成されて前記光源からの光が通過するとともに当該光が前記内面から前記パネルに向けて出るように構成された導光部と、前記導光部の周囲に設けられ、前記電子部品と向かい合う非導光部と、を有する。前記第２壁の前記外面の少なくとも一部に、前記導光部から前記筐体の外部に向かう光の少なくとも一部を遮る遮光層が設けられ、当該遮光層の少なくとも一部に、前記導光部からの光が通る所望の形状を有する光透過部が設けられている。
【図面の簡単な説明】
【０００７】
【図１】第１実施形態に係るテレビジョン受像機の斜視図。
【図２】図１中に示されたテレビジョン受像機を別の角度から見た斜視図。
【図３】図１中に示されたテレビジョン受像機の断面図。
【図４】第２実施形態に係るテレビジョン受像機の断面図。
【図５】第３実施形態に係る電子機器の斜視図。
【図６】図５中に示された表示ユニットを分解して示す斜視図。
【図７】第３実施形態に開示された表示ユニットを分解して示す斜視図。
【図８】図５中に示された表示ユニットの構成を模式的に示す図。
【図９】図５中に示された表示ユニットの組立例を示す平面図。
【図１０】第４実施形態に係るカバーを示す図であり、（ａ）はカバーの平面図であり、（ｂ）はカバーの断面図である。
【図１１】第５実施形態に係るカバーを示す図であり、（ａ）はカバーの平面図であり、（ｂ）はカバーの断面図である。
【図１２】第６実施形態に係るカバーを示す図であり、（ａ）はカバーの平面図であり、（ｂ）はカバーの断面図である。
【図１３】第６実施形態に係る光源と導光部との位置関係を示す図。
【図１４】第６実施形態に関連した光源と導光板との位置関係を示す図。
【図１５】第７実施形態に係る光源と導光部との関係を示す図。
【図１６】第７実施形態に関連した光源と導光板との関係を示す図。
【図１７】第８実施形態に係るカバーを示す図であり、（ａ）はカバーの平面図であり、（ｂ）はカバーの断面図である。
【図１８】図１７中に示されたカバーのＦ１８で囲まれた領域を拡大して示す断面図。
【図１９】第９実施形態に係るカバーを示す図。
【図２０】第１０実施形態に係るカバーを示す平面図。
【図２１】図２０中に示されたカバーの断面図。
【図２２】図２０中に示されたカバーの平面図。
【図２３】図２０中に示されたカバーの一部を拡大して示す断面図。
【図２４】第１０実施形態に係るカバーの第１変形例の断面図。
【図２５】第１０実施形態に係るカバーの第２変形例の断面図。
【図２６】第１０実施形態に係るカバーの第３変形例の断面図。
【図２７】図２６中に示されたカバーの一部を拡大して示す断面図。
【図２８】第１０実施形態に係るカバーの第４変形例の断面図。
【図２９】第１０実施形態に係るカバーの第５変形例の断面図。
【図３０】第１１実施形態に係る表示ユニットの構成を模式的に示す図。
【図３１】図３０中に示されたカバーの断面図。
【図３２】第１１実施形態に関連した導光板と白板の断面図。
【図３３】第１２実施形態に係るカバーの断面図。
【図３４】第１３実施形態に係る表示ユニットを示す断面図。
【図３５】図３４中に示されたカバーの第１態様の背面図。
【図３６】図３４中に示されたカバーの第２態様の背面図。
【図３７】図３４中に示されたカバーの第３態様の背面図。
【図３８】第１４実施形態に係るカバーの背面図。
【図３９】第１５実施形態に係るカバーの背面図。
【図４０】第１６実施形態に係る電子機器の断面図。
【発明を実施するための形態】
【０００８】
以下、実施の形態について、図面を参照して説明する。
【０００９】
（第１実施形態）
図１乃至図３は、第１実施形態に係るテレビジョン受像機１を開示している。テレビジョン受像機１は、「電子機器」の一例である。図１に示すように、テレビジョン受像機１は、表示ユニット２と、該表示ユニット２を支持するスタンド３（支持部）とを有する。
【００１０】
図３に示すように、表示ユニット２は、筐体４を有する。筐体４には、パネル５、複数のＬＥＤ６（ＬＥＤモジュール）、光学シート７、及び電子部品８が収容されている。パネル５は、いわゆるパネルセルであり、液晶基板部１１と、該液晶基板部１１の両側に分かれて設けられた２枚の偏光板１２，１３とを含む（図６参照）。
【００１１】
液晶基板部１１は、例えば２枚のガラス基板と、これら２枚のガラス基板の間に挟まれた液晶（液晶層）とを含む。２枚のガラス基板のうちの１枚は、いわゆるカラーフィルタ基板である。２枚のガラス基板のうちの他の１枚は、いわゆるアレイ基板である。
【００１２】
なお、パネル５の他の一例は、フレキシブルパネルである。この場合、液晶基板部１１は、２枚のフィルム基板（フレキシブル基板、プラスチック基板）と、これら２枚のフィルム基板の間に挟まれた液晶（液晶層）とを含む。なお、パネル５の具体例は、上記に限定されるものではなく、有機ＥＬディスプレイや、その他方式の種々のパネルが適宜該当する。
【００１３】
図３に示すように、パネル５は、第１面５ａ（前面）と、第２面５ｂ（背面）とを有する。第１面５ａは、画像や映像が表示される表示画面１５を含む。第２面５ｂは、第１面５ａとは反対側に位置する。第２面５ｂは、光源からの照明を受ける受光面である。複数のＬＥＤ６は、パネル５に対する光源（発光部、発光部品、電子部品、部品、ライト、ダイオード）の一例である。
【００１４】
図１乃至図３に示すように、筐体４は、前壁１７、背壁１８（後壁）、及び周壁１９を有する。前壁１７は、「第１壁」の一例である。背壁１８は、「第２壁」の一例である。周壁１９は、「第３壁」の一例である。
【００１５】
前壁１７は、表示画面１５と略平行に広がる。前壁１７には、パネル５の表示画面１５が露出する開口部２０（第１開口部）が設けられている。背壁１８は、前壁１７とは反対側に位置し、パネル５の第２面５ｂに向かい合う。背壁１８は、前壁１７と略平行に広がる部分を有する。周壁１９は、前壁１７及び背壁１８とは交差する方向に延び、前壁１７の周縁と背壁１８の周縁とを繋いでいる。
【００１６】
図１乃至図３に示すように、本実施形態に係る筐体４は、マスク２１と、第１カバー２２（第１バックカバー）と、第２カバー２３（第２バックカバー）とを有する。マスク２１は、前壁１７を含む。第１カバー２２は、背壁１８の一部と周壁１９とを含む。第２カバー２３は、背壁１８の他の一部を含む。
【００１７】
図２及び図３に示すように、第１カバー２２の外形は、パネル５の外形に対応している。図３に示すように、第１カバー２２は、パネル５に沿って延びた（パネル５と略平行に延びた）部分を有する。本実施形態に係る第１カバー２２は、筐体４の一部であるとともに、導光板としての機能を有する。すなわち、本実施形態では、導光板と筐体４とが一体化されている。以下、第１カバー２２について詳しく説明する。
【００１８】
図３に示すように、第１カバー２２の少なくとも一部は、導光板として機能する導光部２５を有する。導光部２５は、例えばパネル５の外形よりも大きい。導光部２５は、内面２５ａ（第１面）と、外面２５ｂ（第２面）とを有する。内面２５ａは、パネル５に向かい合う。外面２５ｂは、内面２５ａとは反対側に位置し、筐体４の外部に露出されている。導光部２５の内面２５ａは、第１カバー２２の内面と一致する。導光部２５の外面２５ｂは、第１カバー２２の外面と一致する。
【００１９】
第１カバー２２（導光部２５、背壁１８）は、光透過性を有する材料（例えば、透明部材）で形成されている。複数のＬＥＤ６は、導光部２５に向けて実装され、導光部２５に向けて発光する。複数のＬＥＤ６からの光は、導光部２５に入り、導光部２５の内部を通る。導光部２５は、例えば一般的な導光板と同じ散乱部（散乱体）を有する。すなわち、導光部２５は、例えばシルク印刷によるインクドットや、該導光部２５の表面に設けられた凹凸などを、散乱部として有する。
【００２０】
導光部２５に入った光は、導光部２５の内部を通過する過程にて散乱部で散乱される。散乱された光は、導光部２５の内面２５ａ（すなわち、第１カバー２２の内面）から、パネル５に向けて略均一に発光される。これにより、パネル５は照明され、画像や映像が表示画面１５に表示される。
【００２１】
図３に示すように、導光部２５の外面２５ｂ（すなわち、第１カバー２２の外面）の少なくとも一部は、遮光層２７を有する。遮光層２７は、導光部２５から筐体４の外部に向かう光の少なくとも一部を遮る。これにより、導光部２５からの光が外部に漏れないようになっている。なお、遮光層２７は、例えば有色（例えば黒色）の塗装でもよく、蒸着や貼り付けによる金属膜でもよく、特に限定されるものではない。
【００２２】
図３に示すように、パネル５と導光部２５との間には、１枚又は複数の光学シート７（光学フィルム）が設けられている。光学シート７は、例えばプリズムシート、または拡散シートである。なお、光学シート７は、必要なければ省略可能である。
【００２３】
図２及び図３に示すように、第２カバー２３は、パネル５の背後に位置する。第２カバー２３は、パネル５よりも小さい。電子部品８は、第１カバー２２と第２カバー２３との間に位置する。電子部品８の一例は、回路基板である。なお、電子部品８の例は、上記に限定されず、例えば記憶媒体や各種モジュール、その他種々の電子部品が適宜該当する。第２カバー２３は、光透過性を有しない金属製またはプラスチック製である。第２カバー２３は、電子部品８を外部から覆い隠す。
【００２４】
このような構成によれば、テレビジョン受像機１の薄型化を図ることができる。
【００２５】
一般的な電子機器は、筐体と、該筐体とは別に設けられたパネル及び導光板を有する。このため、パネルの背後には、導光板と筐体の背壁とが存在することになり、電子機器の薄型化を困難にしている。
【００２６】
一方で、本実施形態では、筐体４の一部が導光板の機能を有する。このため、筐体４とは別に導光板を設ける必要が無くなる。これにより、テレビジョン受像機１の薄型化を図ることができる。なお、この内容は、後述の第３実施形態で詳しく述べる。
【００２７】
（第２実施形態）
次に、図４を参照して、第２実施形態に係るテレビジョン受像機１を説明する。なお、第１実施形態の構成と同一または類似の機能を有する構成は、同一の符号を付してその説明を省略する。また、下記に説明する以外の構成は、第１実施形態と同じである。
【００２８】
図４に示すように、筐体４は、マスク２１と、カバー２２（バックカバー）とを有する。マスク２１は、前壁１７を含む。カバー２２は、背壁１８及び周壁１９を含む。カバー２２は、第１部分３１と、第２部分３２とを有する。第１部分３１は、パネル５に沿って延びている（パネル５と略平行に延びている）。第２部分３２は、第１部分３１に比べてパネル５から離れている。第２部分３２とパネル５との間には、電子部品８（例えば、回路基板）が設けられている。
【００２９】
本実施形態では、カバー２２は、外枠３４と、外枠３４に取り付けられた導光部２５とを有する。外枠３４は、例えば光透過性を有しない金属製またはプラスチック製である。外枠３４は、第１部分３１及び第２部分３２を含む。第２部分３２は、電子部品８を外部から覆い隠す。
【００３０】
図４に示すように、第１部分３１は、開口部３５（第２開口部３５）を有する。開口部３５は、表示画面１５が露出する開口部２０（第１開口部）とは反対側に位置する。導光部２５は、開口部３５に設けられている。
【００３１】
導光部２５の一例は、導光板（導光部材）である。導光部２５の少なくとも一部は、開口部３５から外部に露出されている。なお、ここで言う「開口部から露出されている」とは、導光部２５が外部に剥き出しの状態に限定されず、遮光層２７などに覆われて外部に露出された状態も含む。換言すれば、「開口部から露出されている」とは、遮光部の少なくとも一部の外側に、該遮光部とは独立した（離れた）構造部材が存在しないことを言う。
【００３２】
図４に示すように、本実施形態では、第２部分３２とパネル５との間に、導光板３６が設けられている。これにより、表示画面１５の全領域で画像や映像が表示される。
【００３３】
このような構成によれば、上記第１実施形態と同様に、薄型化を図ることができる。
【００３４】
(第３実施形態)
次に、図５乃至図９を参照して、第３実施形態に係る電子機器４１を説明する。なお、第１及び第２実施形態の構成と同一または類似の機能を有する構成は、同一の符号を付してその説明を省略する。また、下記に説明する以外の構成は、第１実施形態と同じである。
【００３５】
本実施形態に係る電子機器４１は、例えばノートブック型ポータブルコンピュータ（ノートＰＣ）である。電子機器４１は、第１ユニット４２と、第２ユニット４３と、ヒンジ部４４とを有する。
【００３６】
第１ユニット４２は、メインユニットである。第２ユニット４３は、表示ユニットである。第１ユニット４２は、筐体４２ａを有する。筐体４２ａには、入力部４５ａが設けられている。入力部４５ａの一例は、キーボードであるが、これに限定されるものではない。
【００３７】
筐体４２ａには、メインボードである回路基板４５ｂやモジュール４５ｃが収容されている。モジュール４５ｃの一例は、記憶装置であるが、これに限定されるものではない。回路基板４５ｂは、パネル５に電気的に接続され、パネル５を制御する。
【００３８】
第２ユニット４３は、ヒンジ部４４によって第１ユニット４２の後端部に回動可能（開閉可能）に連結されている。これにより電子機器４１は、第１ユニット４２と第２ユニット４３とが重ねられた第１状態と、第１ユニット４２と第２ユニット４３とが開かれた第２状態との間で回動可能である。
【００３９】
図５及び図６に示すように、第２ユニット４３は、筐体４を有する。筐体４には、パネル５、複数のＬＥＤ６（図９参照）、光学シート７、及び電子部品８が収容されている。電子部品８の一例は、アンテナ、またはアンテナケーブルである。
【００４０】
図６に示すように、本実施形態に係る筐体４は、マスク２１と、カバー２２とを有する。マスク２１は、前壁１７を含む。カバー２２は、背壁１８と周壁１９とを含む。本実施形態に係るカバー２２は、筐体４の一部であるとともに、導光板としての機能を有する。
【００４１】
図８に模式的に示すように、カバー２２の少なくとも一部は、導光板として機能する導光部２５を有する。なお、カバー２２（導光部２５）の詳細は、上記第１実施形態と同じである。すなわち、カバー２２（導光部２５、背壁１８）は、光透過性を有する材料（例えば、透明部材）で形成されている。複数のＬＥＤ６からの光は、導光部２５の内面２５ａ（すなわち、第１カバー２２の内面）からパネル５に向けて略均一に発光されるように導光部２５を通る。導光部２５は、例えば背壁１８のなかでパネル５に向かい合う領域全体に設けられる。
【００４２】
図８に示すように、導光部２５の外面２５ｂ（すなわち、カバー２２の外面）の少なくとも一部は、遮光層２７を有する。本実施形態では、遮光層２７は、導光部２５の外面に塗装または蒸着により設けられている。
【００４３】
本実施形態に係る遮光層２７は、導光部２５から筐体４の外部に向かう光の少なくとも一部が反射される反射層（反射コート、反射コーティング）である。遮光層２７（反射層）の少なくとも一部は、導光部２５の外面２５ｂに密着されている。すなわち、導光部２５と遮光層２７（反射層）との間に、反射ロスが生じる空気層が存在しない。
【００４４】
アンテナのような電子部品８は、パネル５の周囲に設けられている。なお、電子部品８は、アンテナに限定されず、他の電子部品が適宜該当する。遮光層２７が設けられることで、電子部品８が外部から覆い隠されている。なお、図８に示すように、遮光層２７の外側には、加飾層４６が設けられている。
【００４５】
図９は、第２ユニット４３の組立例を示す。図９に示すように、導光部２５（カバー２２）には、内面２５ａから窪む溝４７（取付部、収容部）が設けられている。複数のＬＥＤ６は、溝４７に取り付けられている。
【００４６】
カバー２２は、ヒンジ部４４が接続される第１端部２２ａ（下端部）と、該第１端部２２ａとは反対側に位置した第２端部２２ｂ（上端部）とを有する。溝４７は、第１端部２２ａに設けられ、第１端部２２ａに沿って延びている。
【００４７】
第２ユニット４３の組立は、まず、カバー２２が準備されている（図９（ａ））。次に、カバー２２の溝４７に複数のＬＥＤ６が取り付けられる（図９（ｂ））。次に、光学シート７がカバー２２に取り付けられる（図９（ｃ））。次に、パネル５、基板モジュール４８、及びＬＥＤフレキシブルケーブル４９がカバー２２に取り付けられる（図９（ｄ））。最後に、パネル５などを間に挟むようにして、マスク２１がカバー２２に取り付けられる（図９（ｅ））。これにより、第２ユニット４３が組みあがる。
【００４８】
このような構成によれば、電子機器４１の薄型化を図ることができる。
【００４９】
比較のため、図７に、導光板が筐体とは別に設けられた表示ユニットを示す。図７に示すように、表示ユニットは、マスク２１、パネル５、導光板５１、板金５２、及びカバー５３を有する。このような構成では、薄型化に限界がある。そのボトルネックの一つが、導光板５１である。導光板は、端面から光を導き、ＬＣＤユニットのパネルへ光を照射する役割を持つ。パネルに照射される光量は、導光板の厚みに依存する。すなわち、導光板を薄くすると、光の導波効率が低下し、画面の輝度が低下する。また、ＬＣＤユニットの中で、導光板は比較的厚い部材の一つである。
【００５０】
一方で、本実施形態では、導光板の機能をカバー２２に持たせることで、導光板の省略を可能にしている。これにより、電子機器４１の薄型化を図ることができる。また、導光板を筐体４の一部として形成することで、導光板を筐体４に取り付ける固定部品を省略することができる。これは、部品点数の削減を通じて、電子機器４１の組立性や低コスト化に寄与する。
【００５１】
カバー２２の厚み（一例として、１．２５ｍｍ〜１．７５ｍｍ）は、導光板の厚み（０．８ｍｍ〜１．０ｍｍ）よりも大きいことが多い。本実施形態では、カバー２２の厚みが導光板として利用可能であるので、入射断面積を大きく確保することができる。このため、光の導波効率が向上する。これにより、これまで必要であった光源に比べて、消費電力が小さく、低コストの光源を採用することが可能になる。これは、電子機器の低コスト化に寄与する。
【００５２】
また、導光板が筐体と別に設けられる場合、光源は、一般的に導光板の端面に設置される。このため、薄型の光源が必要になる。薄型の光源は、小型でありながら、高い出力が求められるため、消費電力大、発熱大、及びコスト増を招いている。
【００５３】
一方で、本実施形態では、筐体４の一部が導光板となるため、導光板の端面以外の場所に光源が設置可能になる。すなわち、光源の設置場所の自由度が増す。これにより、光源の厚みの制限が緩和され、低消費電力で低コストの光源を選択することができる。さらに、光源の入射角度を調整することが可能になるため、導光効率を向上させることができる。
【００５４】
本実施形態では、ＬＥＤ６は、カバー２２の溝４７に取り付けられている。これにより、第２ユニット４３の厚みをさらに薄くすることができる。
【００５５】
本実施形態では、溝４７は、ヒンジ部４４が接続されるカバー２２の第１端部２２ａに設けられている。第１端部２２ａは、第１ユニット４２に対する第２ユニット４３の開閉時に、大きな力（大きなモーメント）を受け難い部分の一つである。このような部分に溝４７が設けられることで、カバー２２をさらに薄くすることができる。
【００５６】
本実施形態では、導光部２５の外面２５ｂに反射層（遮光層２７）が設けられている。これにより、パネル５とは反対側に導かれた光が無駄なく利用される。このため、ＬＥＤ６の省エネ化を図ることができる。
【００５７】
次に、第４乃至第１５の実施形態に係る電子機器４１を説明する。なお、第１乃至第１５の実施形態で、同一または類似の機能を有する構成は、同一の符号を付してその説明を省略する。また、下記に説明する以外の構成は、第３の実施形態と同じである。
【００５８】
（第４実施形態）
図１０は、第４実施形態に係るカバー２２を示す。図１０に示すように、カバー２２は、光学シート７、パネル５、及びその他のモジュールの少なくとも一つに対応した凹部５５（段差部）を有する。凹部５５は、カバー２２の内面（導光部２５の内面２５ａ）に設けられている。光学シート７、パネル５、及びその他のモジュールの少なくとも一つは、上記凹部５５に取り付けられ、凹部５５によって位置決めされる。
【００５９】
このような構成によれば、上記第３実施形態と同様に電子機器４１の薄型化を図ることができる。さらに、本実施形態では、カバー２２に凹部５５が設けられているので、組立時の光学シート７やパネル５、モジュールの位置決めを容易に行うことができる。これにより、組立性が向上する。
【００６０】
（第５実施形態）
図１１は、第５実施形態に係るカバー２２を示す。図１１に示すように、カバー２２は、上記第４実施形態と同様の凹部５５を有する。さらに本実施形態に係るカバー２２は、光学シート７、パネル５、及びその他のモジュールの少なくとも一つが係合するボス５６を有する。ボス５６は、例えばカバー２２の内側の四隅（凹部５５の四隅）に其々設けられている。光学シート７、パネル５、及びその他のモジュールの少なくとも一つは、ボス５６に取り付けられ、ボス５６によって位置決めされる。
【００６１】
このような構成によれば、上記第３実施形態と同様に電子機器４１の薄型化を図ることができる。さらに、本実施形態では、カバー２２にボス５６が設けられているので、組立時の光学シート７やパネル５、モジュールの位置決めを容易に行うことができる。これにより、電子機器４１の組立性が向上する。
【００６２】
（第６実施形態）
図１２は、第６実施形態に係るカバー２２を示す。図１２に示すように、導光部２５は、内面２５ａ及び外面２５ｂに対して傾いた入射面６１を有する。複数のＬＥＤ６は、内面２５ａ及び外面２５ｂに対して傾斜して実装されている。複数のＬＥＤ６の其々の中央部は、入射面６１略垂直に向かい合う。
【００６３】
ここで、比較のため、図１４に、導光板５１と略平行に配置されたＬＥＤ６（光源）を示す。ＬＥＤ６は、輝度分布を持っており、中央部に近いほど輝度が高くなる。導光板５１が筐体４と別体の場合、薄型化のため、ＬＥＤ６は、導光板５１と略平行に配置される。この場合、ＬＥＤ６の中央部の光は、導光板５１で全反射する成分が少なく、通り抜けてしまう成分が多い。このため、通り抜け成分が大幅なロスになっており、照明が非効率になっている。
【００６４】
図１３に、本実施形態の構成を模式的に示す。本実施形態では、導光部２５の入射面６１が内面２５ａ及び外面２５ｂに対して斜めに形成されている。そして、ＬＥＤ６の中央部からの光が、入射面６１に略垂直に入射するように、ＬＥＤ６が内面２５ａ及び外面２５ｂに対して傾けて実装されている。
【００６５】
ここで、臨界角と入射面の関係について説明する。導光部２５を通る光が導光部と外部との境界面（例えば内面２５ａ又は外面２５ｂ）で全反射する臨界角θｃは、空気の屈折率をｎ１、導光部２５の屈折率をｎ２とすると、次の式で求まる。
【数１】
0005498606.tif 000002
【００６６】
そして、入射角θが臨界角θｃ以上の場合、光は全反射する。なお、図１３に示すように、入射角θは、導光部２５と外部との境界面（例えば内面２５ａ又は外面２５ｂ）に垂線を引き、その垂線と光線との間の角度である。
【００６７】
例えば、導光部２５をアクリルで構成する場合、空気の屈折率ｎ１が１であり、アクリルの屈折率ｎ２が１．４９であるので、臨界角θｃは、４２．１５°となる。この場合、入射角θが４２．１５°以上であれば、光は全反射する。
【００６８】
また、導光部２５をガラスで構成する場合、空気の屈折率ｎ1が１であり、ガラスの屈折率ｎ2が１．５１であるので、臨界角θｃは、４１．４７°となる。この場合、入射角θが４１．４７°以上であれば、光は全反射する。
【００６９】
ここで、図１３に示すように、入射面６１が内面２５ａに対して傾いていると、内面２５ａ及び外面２５ｂに対する入射角が調整しやすい。例えば、内面２５ａと外面２５ｂが略平行な場合では、入射面６１と外面２５ｂとの間の角度が、幾何学的な関係から、外面２５ｂに対する入射角及び内面２５ａに対する入射角と等しくなる。
【００７０】
すなわち、入射面６１と外面２５ｂとの間の角度θを、臨界角θｃ以上に設定することで、ＬＥＤ６の中央部からの光を、導光部２５の内部で全反射して導くことができる。つまり、入射面６１と外面２５ｂとの間の角度θを、導光部２５の材質ごとに変更することで、ＬＥＤ６の中央部からの光の多くの成分を導光部２５の内部で全反射させることができる。
【００７１】
さらに、入射面６１が内面２５ａに対して斜めであると、入射面６１が内面２５ａに対して垂直な場合に比べて、入射面６１の断面積（受光面積）を大きく確保することができる。入射面６１の断面積を大きく確保することができると、光の採光効率を向上させることができる。
【００７２】
このような構成によれば、上記第３実施形態と同様に電子機器４１の薄型化を図ることができる。さらに、本実施形態では、導光部２５の入射面６１が内面２５ａ及び外面２５ｂに対して斜めに形成され、入射角が調整されている。このような構成によれば、導光部２５の内部で全反射する光の成分が増えるので、導光効率が向上し、画面輝度を向上させることができる。
【００７３】
（第７実施形態）
図１５は、第７実施形態に係るカバー２２を示す。
【００７４】
比較のため、図１６に、導光板５１の側方にＬＥＤ６を配置した構成を示す。この構成では、導光板５１とＬＥＤ６との間に空気が存在する。このため、ＬＥＤ６から導光板５１に入射される光は、空気による端面反射の影響でロスが生じる。これは、空気の屈折率と導光板５１の屈折率との違いから生じる。例えば、導光板５１の材質がアクリルの場合は、上記ロスの量は約４％になる。
【００７５】
一方で、図１５に示すように、本実施形態では、複数のＬＥＤ６と導光部２５との間の隙間が、光透過性を有する部材６５（材料、透明材料）によって埋められている。すなわち、ＬＥＤ６と導光部２５との間には、空気は存在しない。部材６５は、例えば透明なゴムの設置や、透明樹脂の塗布で構成される。
【００７６】
ここで、部材６５は、空気と比べて屈折率が導光部２５に近い材料で構成される。部材６５の屈折率と導光板５１の屈折率とが近いほど、端面反射が少なくなる。部材６５の一例は、屈折率が１．３〜１．４の透明なゴムまたはシリコンである。
【００７７】
このような構成によれば、上記第３実施形態と同様に電子機器４１の薄型化を図ることができる。さらに、本実施形態では、複数のＬＥＤ６と導光部２６との間の隙間が、導光部２５の材料の屈折率に近い材料で埋められている。これにより、端面反射の影響を小さくし、導光効率を向上させることができる。
【００７８】
（第８実施形態）
図１７は、第８実施形態に係るカバー２２を示す。図１７に示すように、本実施形態では、カバー２２の全体が、光透過性を有する材料（透明材料）で一体成形されている。カバー２２は、導光部２５と、非導光部７０とを有する。非導光部７０は、導光部２５の周囲に設けられ、パネル５に向かい合わない部分である。すなわち、非導光部７０は、光を通す必要がない（発光が必要ない）部分である。アンテナなどの電子部品８は、非導光部７０に向かい合う。
【００７９】
図１７及び図１８に示すように、導光部２５と非導光部７０との間には、内面２５ａから窪んだ溝７１（切欠き）が設けられている。溝７１の幅は、例えば１ｍｍである。溝７１の深さは、例えば導光部２５の厚さの半分以上に達してもよい。溝７１の内部には空気が入っている。すなわち、導光部２５の端面に、約１ｍｍの空気層が実現されている。この溝７１（空気層）により、導光部２５の厚さ方向に延びた反射面７２が構成されている。
【００８０】
図１８に示すように、導光部２５内を進む光の少なくとも一部（例えば、大部分）は、溝７１(反射面７２)によって反射され、再び導光部２５の中央部に向いて折り返す。これにより、非導光部７０に漏れる光の量を少なくすることができる。換言すれば、溝７１が設けられることで、透明材料で構成されたカバー２２において非導光部７０を設けることができる。
【００８１】
このような構成によれば、上記第３実施形態と同様に電子機器４１の薄型化を図ることができる。ここで、カバー２２を透明部材で形成する場合、発光が必要ない部分（パネル５を外れた部分）まで光が回り込んでしまう。このため、導光効率が低下する可能性がある。
【００８２】
しかしながら、本実施形態では、溝７１によって光の回り込みを抑制する反射面７２が構成されている。これにより、発光させたい部分に光を効率的に送ることができ、発光効率を向上させることができる。なお、溝７１の内面（反射面）に金属蒸着などを施すことで反射層（金属層、遮光層２７）を設けると、端面反射を増加させることができる。
【００８３】
（第９実施形態）
図１９は、第９実施形態に係るカバー２２を示す。図１９に示すように、本実施形態では、カバー２２は、例えば２種類の材料で構成されたダブルモールド品（２段階成形品、２色成形品）である。
【００８４】
カバー２２は、外枠３４と、導光部２５（導光部材、導光板）とを有する。外枠３４は、光透過性を有しない材料で形成されている。外枠３４は、表示画面１５が露出する第１開口部２０と、該第１開口部２０とは反対側に位置した第２開口部３５とを有する。すなわち、第２開口部３５は、筐体４の背壁１８に設けられている。外枠３４は、非導光部７０を構成する。アンテナなどの電子部品８は、非導光部７０に向かい合う。
【００８５】
導光部２５は、外枠３４に取り付けられ、第２開口部３５から筐体４の外部に露出されている。導光部２５は、内面２５ａ及び外面２５ｂとは交差する方向（例えば、略直交した方向）に延びた周面２５ｃを有する。すなわち、周面２５ｃは、導光部２５の厚さ方向に延びている。
【００８６】
図１９に示すように、導光部２５の周面２５ｃには、反射層７５が設けられている。反射層７５の一例は、例えば金属蒸着や金属箔の貼り付けで構成された金属層である。なお、反射層７５は、塗装などで構成されてもよい。導光部２５内を進む光の少なくとも一部（例えば大部分）は、反射層７５で反射され、再び導光部２５の中央部に向いて折り返す。これにより、非導光部７０に吸収される光の量を少なくすることができる。
【００８７】
このような構成によれば、上記第３実施形態と同様に電子機器４１の薄型化を図ることができる。さらに、本実施形態では、光透過性を有しない外枠３４で筐体４の一部が構成されている。このため、パネル５の外側に位置した領域まで光が回り込むことを抑制することができる。なお、反射層７５はなくてもよい。
【００８８】
（第１０実施形態）
図２０乃至図２９は、第１０実施形態に係るカバー２２を示す。図２０に示すように、本実施形態では、カバー２２は、例えばインサート成形で形成されている。
【００８９】
カバー２２は、外枠３４と、導光部２５（導光部材、導光板）とを有する。外枠３４は、光透過性を有しない材料で形成されている。外枠３４は、表示画面１５が露出する第１開口部２０と、該第１開口部２０とは反対側に位置した第２開口部３５とを有する。すなわち、第２開口部３５は、筐体４の背壁１８に設けられている。
【００９０】
外枠３４は、非導光部７０を構成する。アンテナ及びその他の電子部品８は、非導光部７０に向かい合う。導光部２５は、外枠３４に取り付けられ、第２開口部３５から筐体４の外部に露出されている。導光部２５の周面２５ｃには、反射層７５が設けられてもよい。
【００９１】
図２１及び図２２に示すように、外枠３４は、例えば溶着ピン８１を有する。導光部２５は、溶着ピン８１が挿入される孔部８２を有する。溶着ピン８１は、孔部８２に通された後で頭部が潰される。これにより、導光部２５が外枠３４に固定され、外枠３４から外れなくなる。
【００９２】
図２３に示すように、導光部２５の一例は、ＬＥＤ６が取り付けられる溝４７を有する。導光部２５は、内面２５ａ及び外面２５ｂに対して傾いた入射面６１を有する。ＬＥＤ６の中央部は、入射面６１に向かい合っている。
【００９３】
図２４は、本実施形態の第１変形例を示す。図２４に示すように、導光部２５は、内面２５ａから突出した取付部８３を有してもよい。導光部２５は、内面２５ａ及び外面２５ｂに対して傾いた入射面６１を有する。ＬＥＤ６の中央部は、入射面６１に向かい合っている。
【００９４】
図２５は、本実施形態の第２変形例を示す。図２５に示すように、導光部２５の一例は、ＬＥＤ６が取り付けられる溝７１を有する。ＬＥＤ６の中央部は、内面２５ａと略平行な方向に向いている。
【００９５】
図２６及び図２７は、本実施形態の第３変形例を示す。図２６に示すように、本変形例では、導光部２５は、溶着ピン８１を有する。外枠３４は、溶着ピン８１が挿入される孔部８２を有する。
【００９６】
図２７に示すように、導光部２５は、内面２５ａ及び外面２５ｂに対して傾いた入射面６１を有する。ＬＥＤ６の中央部は、入射面６１に向かい合っている。
【００９７】
図２８は、本実施形態の第４変形例を示す。図２８に示すように、導光部２５は、内面２５ａから突出した取付部８３を有してもよい。導光部２５は、内面２５ａ及び外面２５ｂに対して傾いた入射面６１を有する。ＬＥＤ６の中央部は、入射面６１に向かい合っている。
【００９８】
図２９は、本実施形態の第５変形例を示す。図２９に示すように、ＬＥＤ６の中央部は、内面２５ａと略平行な方向に向いている。
【００９９】
このような構成によれば、上記第３実施形態と同様に電子機器４１の薄型化を図ることができる。さらに、本実施形態では、光透過性を有しない外枠３４で筐体４の一部が構成されている。このため、パネル５の外側に位置した領域まで光が回り込むことを抑制することができる。
【０１００】
（第１１実施形態）
図３０及び図３１は、第１１実施形態に係るカバー２２を示す。カバー２２は、反射層７５（遮光層２７）を有する。反射層７５は、導光部２５の外面２５ｂに密着され、導光部２５から筐体４の外部に向かう光の少なくとも一部が反射される。導光部２５と反射層７５との間には、空気層は存在しない。
【０１０１】
本実施形態では、反射層７５の少なくとも一部は、導光部２５の外面２５ｂに設けられた導電層８５（導電膜、金属層、金属膜）である。導電層８５は、例えばアルミニウムのような金属の蒸着膜である。なお、導電層８５は、蒸着に限らず、例えば導光部２５の外面２５ｂに金属箔を貼り付けることで構成されてもよい。導電層８５の一例は、ＥＭＩ(Electro Magnet Interference)対策用の導電層として機能する。すなわち、導電層８５は、筐体４内から外部に向かう不要輻射を抑制する。
【０１０２】
このような構成によれば、上記第３実施形態と同様に電子機器４１の薄型化を図ることができる。
【０１０３】
ここで比較のため、図３２に、導光板５１と白板９１とを有した構造を示す。図３２に示すように、導光板５１と白板９１との間には、空気層９２が存在する。ここで、散乱部によってパネル５と反対側（天板側）に散乱した光は、空気層９２を介してから白板９１によってパネル５に向けて反射される。しかし、導光板５１から空気層９２に抜ける透過成分が多い。空気層９２を介するため端面反射によるロス、及び白板９１の低反射率などで、ロスが大きい。
【０１０４】
一方で、本実施形態では、反射層７５は、導光部２５の外面２５ｂに密着され、導光部２５と反射層７５との間には空気層は存在しない。このため、導光部２５から空気層に抜ける透過成分はなく、また空気層での端面反射も生じない。このため、導光効率を向上させることができる。
【０１０５】
さらに、本実施形態では、反射層７５は、白板９１に比べて反射率が高い金属層で構成されている。このため、反射効率を向上させることができ、光の利用効率を向上させることができる。
【０１０６】
さらに、本実施形態では、ＥＭＩ対策用の金属蒸着膜を利用して反射層７５が構成されている。すなわち、一つの反射層７５で、ＥＭＩ対策の機能と、導光部２５の反射機能とが実現されている。なお、反射層７５（遮光層２７）の光透過率は、反射層７５の膜厚を調整することで、変更することができる。すなわち、一部の光が反射層７５を通過するように反射層７５の厚さを調整し、これにより発光加飾を実現することができる。さらに、部分的に反射層７５の厚みを変化させることで、輝度部分を調整することもできる。
【０１０７】
（第１２実施形態）
図３３は、第１２実施形態に係るカバー２２を示す。本実施形態では、導光部２５は、散乱光効果を生じさせる微粒子９５（微小粒子）が混合されている。すなわち、カバー２２は、微粒子９５が予め混ぜられた樹脂材料が成形されることで構成されている。
【０１０８】
図３３に示すように、導光部２５内を全反射しながら進む光は、微粒子９５にあたると散乱する。この散乱光を利用してパネル５が照明される。微粒子９５の粒子濃度や粒子分布を変えることで、輝度分布を調整することが可能である。また、微粒子９５として、特定の電波を吸収する金属粒子を用いることで、光の散乱とＥＭＩ対策の両方の機能を実現することができる。
【０１０９】
このような構成によれば、上記第３実施形態と同様に電子機器４１の薄型化を図ることができる。一般的な導光板では、光を散乱させるために、シルク印刷によるインクドットや、金型による表面凹凸が設けられる。これらインクドットや表面凹凸は、導光板のベースが作られた後、後工程で設けられる。
【０１１０】
一方で、本実施形態では、光を散乱させる微粒子９５がカバー２２を形成する材料に混合されている。このため、後工程でインクドットや表面凹凸を設ける必要がなくなる。これにより、製造性を高めることができる。
【０１１１】
（第１３実施形態）
図３４乃至図３７は、第１３実施形態に係るカバー２２を示す。本実施形態では、カバー２２の外面２５ｂの遮光層２７（加飾層４６、反射層７５）の一部に光が通る開口部１０１（光透過部）が設けられている。これにより、導光部２５を通る光の一部は、カバー２２の外面２５ｂから筐体４の外部に発光される。これにより、カバー２２の発光加飾を実現することができ、加飾性を向上させることができる。
【０１１２】
詳しく述べると、導光部２５を通る光は、導光部２５内で散乱され、その光の一部は、導光部２５の外面２５ｂに向かう。また、導光部２５の内面２５ａから出た光の一部は、光学シート７で反射され、その一部は導光部２５の外面２５ｂに向かう。
【０１１３】
本実施形態では、カバー２２の外面２５ｂの遮光層２７の一部に光が通る開口部１０１が設けられている。換言すれば、開口部１０１が残るように、カバー２２の外面２５ｂに塗装、ＩＭＦ・ＩＭＲなどで遮光層２７（加飾層４６、反射層７５）が設けられている。このため、上記外面２５ｂに向かう光は、開口部１０１から筐体４の外部に発光される。これにより、筐体４の背壁１８に、開口部１０１の形状に応じた発光部が実現される。
【０１１４】
なお、図３５乃至図３７に示すように、開口部１０１は、文字、記号、図形、または模様の形状を有してもよい。これにより、上記文字、記号、図形、または模様の形状に応じた発光部が実現される。
【０１１５】
このような構成によれば、上記第３実施形態と同様に電子機器４１の薄型化を図ることができる。ここで、例えば導光板と筐体とが別に設けられた構造では、筐体の背面側を発光させるためには、筐体の背壁に部分的な透明パーツを設ける必要がある。
【０１１６】
一方で、本実施形態では、カバー２２自体が発光するので、筐体４の背壁１８には透明パーツを別に設ける必要はない。このため、低コストで、筐体４の発光加飾を実現することができる。
【０１１７】
(第１４実施形態)
図３８は、第１４実施形態に係るカバー２２を示す。本実施形態では、カバー２２の外面２５ｂの遮光層２７（加飾層４６、反射層７５）の一部に光が通る開口部１０１（光透過部）が設けられている。そして、カバー２２の外面２５ｂには、シート部材１０２が取り付けられる（貼り付けられる）。シート部材１０２は、例えば企業のロゴや特定のマークなどのデザインを有する。シート部材１０２は、開口部１０１を覆う。開口部１０１から発光する光は、シート部材１０２のデザインを浮かび上がらせる。シート部材１０２は、例えばシールやフィルムである。
【０１１８】
このような構成によれば、上記第３実施形態と同様に電子機器４１の薄型化を図ることができる。本実施形態によれば、透明の別パーツを設ける必要がなく、企業のロゴやその他のデザインの発光加飾を低コストで実現することができる。
【０１１９】
（第１５実施形態）
図３９は、第１５実施形態に係るカバー２２を示す。本実施形態では、カバー２２の外面２５ｂの遮光層２７（加飾層４６、反射層７５）の一部に光が通る開口部１０１（光透過部）が設けられている。そして、カバー２２の外面２５ｂには、シート部材１０２が後で取り付け可能（貼り付け可能）になっている。シート部材１０２は開口部１０１を覆う。シート部材１０２は、例えば顧客やユーザーが、市販のインクジェットプリンタなどで印刷可能な透明フィルムまたは透明シールである。
【０１２０】
顧客や一般ユーザーは、製品を購入後、好みのデザインをシート部材１０２に印刷し、そのシート部材１０２をカバー２２に貼り付けることができる。開口部１０１から発光する光は、シート部材１０２のデザインを浮かび上がらせる。
【０１２１】
このような構成によれば、上記第３実施形態と同様に電子機器４１の薄型化を図ることができる。本実施形態によれば、顧客やユーザー自身が、自由にシート部材１０２のデザインを選択することができる。このため、ユーザーのデザインに対する自由度を向上させることができる。このような構成によれば、顧客の会社ロゴやユーザーの好みのデザインが発光する電子機器４１を低コストで実現することができる。
【０１２２】
（第１６実施形態）
図４０は、第１６実施形態に係る電子機器４１を示す。本実施形態では、パネル５と電子部品８とが、筐体４の厚さ方向に重ねられていない。パネル５と電子部品８は、表示画面１５と略平行な方向で互いに並んでいる。また、筐体４の前壁１７には、ガラス部材１０５が取り付けられている。ガラス部材１０５は、例えば前壁１７の略全域に亘る。
【０１２３】
このような構成によれば、上記第３実施形態と同様に電子機器４１の薄型化を図ることができる。本実施形態によれば、パネル５と電子部品８とが、筐体４の厚さ方向に重ねられていないので、導光部２５（カバー２２、背壁１８）を比較的自由な形状に形成することができる。ガラス部材１０５が前壁１７に取り付けられると、ガラス部材１０５によって筐体４が補強可能である。
【０１２４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【０１２５】
上記第１乃至第１６の実施形態が適用可能な電子機器は、ノートＰＣに限られず、例えばスマートフォンを含む携帯電話や、スレートＰＣ（タブレット端末）、テレビジョン受像機及びその他の電子機器に広く適用可能である。また、第１乃至第１６の全ての実施形態において、導光部２５の外面２５ｂには、遮光層２７、加飾層４６、反射層７５、及び導電層８５を設けてもよい。
【０１２６】
以下に、本願出願の基礎となる原出願の当初の特許請求の範囲に記載された発明を付記する。
【０１２７】
［１］表示画面を有したパネルと、
複数のＬＥＤと、
前記パネル及び前記複数のＬＥＤが収容され、前記表示画面が露出する第１開口部が設けられた第１壁と、該第１壁とは反対側に位置した第２壁と、を含む筐体と、
前記パネルと前記第２壁との間に位置した光学シートと、
を備え、
前記第２壁の少なくとも一部は、前記パネルに向かい合う内面と、該内面とは反対側に位置した外面とを有し、光透過性の材料で形成され、前記複数のＬＥＤからの光が前記パネルに向けて前記内面から出るように通る導光部を有し、
前記外面の少なくとも一部は、前記導光部から前記筐体の外部に向かう光の少なくとも一部が遮られる遮光層を有したテレビジョン受像機。
【０１２８】
［２］［１］の記載において、
前記導光部は、前記内面から窪む溝が設けられ、
前記複数のＬＥＤは、前記溝に取り付けられたテレビジョン受像機。
【０１２９】
［３］［１］または［２］の記載において、
前記導光部は、前記内面に対して傾いた入射面を有し、
前記複数のＬＥＤは、前記内面に対して傾斜して実装され、該複数のＬＥＤ其々の中央部は、前記入射面に向かい合うテレビジョン受像機。
【０１３０】
［４］［１］または［３］の記載において、
屈折率が空気よりも前記導光部に近く、前記複数のＬＥＤと前記導光部との間の隙間を埋めた部材をさらに備えたテレビジョン受像機。
【０１３１】
［５］［１］または［４］の記載において、
前記遮光層の少なくとも一部は、前記導光部の外面に密着され、前記導光部から前記筐体の外部に向かう光が反射される反射層であるテレビジョン受像機。
【０１３２】
［６］［１］または［５］の記載において、
前記遮光層の少なくとも一部は、前記筐体内から外部に向かう不要輻射を抑制する導電層であるテレビジョン受像機。
【０１３３】
［７］［１］または［６］の記載において、
前記遮光層の少なくとも一部は、文字、記号、図形、または模様の形状を有して前記導光部からの光が通る開口部が設けられたテレビジョン受像機。
【０１３４】
［８］［１］または［７］の記載において、
前記筐体に収容された電子部品をさらに備え、
前記筐体は、前記電子部品に向かい合う非導光部を有したテレビジョン受像機。
【０１３５】
［９］［８］の記載において、
前記筐体は、前記第１壁を含むマスクと、前記第２壁を含むカバーとを有し、
前記カバーは、光透過性の材料で形成され、前記導光部と前記非導光部との間に、前記導光部からの光の少なくとも一部が反射される溝が設けられたテレビジョン受像機。
【０１３６】
［１０］［８］の記載において、
前記筐体は、光透過性を有しない材料で形成され、前記第１開口部とは反対側に位置した第２開口部が設けられた外枠と、該外枠に取り付けられ、前記第２開口部から外部に露出された導光部材とを有したテレビジョン受像機。
【０１３７】
［１１］表示画面を有したパネルと、
光源と、
前記パネル及び前記光源が収容され、前記表示画面が露出する開口部が設けられた第１壁と、前記第１壁とは反対側に位置し、少なくとも一部に前記光源からの光が前記パネルに向けて出るように通る部分を有した第２壁と、を含む筐体と、
を備えた電子機器。
【０１３８】
［１２］第１開口部と、該第１開口部とは反対側に位置した第２開口部とが設けられた筐体と、
前記第１開口部から露出された表示画面を有したパネルと、
前記筐体に収容された光源と、
前記第２開口部から露出された部分を有し、前記光源からの光が前記パネルに向けて出るように通る導光部と、
を備えた電子機器。
【符号の説明】
【０１３９】
４…筐体、５…パネル、６…光源（ＬＥＤ）、７…光学シート、８…電子部品、１５…表示画面、１７…第１壁（前壁）、１８…第２壁（背壁）、２０…第１開口部、２１…マスク、２２…カバー、２５…導光部、２５ａ…内面、２５ｂ…外面、２７…遮光層、３４…外枠、３５…第２開口部、４１…電子機器、４７…溝、６１…入射面、６５…部材、７０…非導光部、７１…溝、７５…反射層、８５…導電層、１０１…光透過部（開口部）。
【図１】
0005498606.tif 000003
【図２】
0005498606.tif 000004
【図３】
0005498606.tif 000005
【図４】
0005498606.tif 000006
【図５】
0005498606.tif 000007
【図６】
0005498606.tif 000008
【図７】
0005498606.tif 000009
【図８】
0005498606.tif 000010
【図９】
0005498606.tif 000011
【図１０】
0005498606.tif 000012
【図１１】
0005498606.tif 000013
【図１２】
0005498606.tif 000014
【図１３】
0005498606.tif 000015
【図１４】
0005498606.tif 000016
【図１５】
0005498606.tif 000017
【図１６】
0005498606.tif 000018
【図１７】
0005498606.tif 000019
【図１８】
0005498606.tif 000020
【図１９】
0005498606.tif 000021
【図２０】
0005498606.tif 000022
【図２１】
0005498606.tif 000023
【図２２】
0005498606.tif 000024
【図２３】
0005498606.tif 000025
【図２４】
0005498606.tif 000026
【図２５】
0005498606.tif 000027
【図２６】
0005498606.tif 000028
【図２７】
0005498606.tif 000029
【図２８】
0005498606.tif 000030
【図２９】
0005498606.tif 000031
【図３０】
0005498606.tif 000032
【図３１】
0005498606.tif 000033
【図３２】
0005498606.tif 000034
【図３３】
0005498606.tif 000035
【図３４】
0005498606.tif 000036
【図３５】
0005498606.tif 000037
【図３６】
0005498606.tif 000038
【図３７】
0005498606.tif 000039
【図３８】
0005498606.tif 000040
【図３９】
0005498606.tif 000041
【図４０】
0005498606.tif 000042